(57)【要約】【課題】使用時において外面に破損やキズが生じても絶縁性が確保され短絡の危険が防止されると共に、破損やキズの発生が容易に確認され、かつ比較的安価に実施できる絶縁ドライバーを提供する。【解決手段】この絶縁ドライバー１はロッド部５のビット部４の先端にわずかの露出部６を形成し、その他を絶縁性のチューブ部２と柄部で完全に覆ったものからなり、短絡防止の完全化が図れる。また、外面の２重目収縮チューブ２ｂにキズが生じてもロッド部５は１重目収縮チューブにより保護されているため、絶縁性が確保される。また、キズの部分から１重目収縮チューブ２ａの表面が目や光で確認され、キズの発生を早期に発見することができる。【選択図】図１
2006272518.tif 000002
【特許請求の範囲】
【請求項１】
ロッド部の外周を絶縁性の１重目収縮チューブで被覆し、更に、該１重目収縮チューブの外周を絶縁性の２重目収縮チューブで被覆し、前記ロッド部及び前記１重目及び２重目収縮チューブの後方側を絶縁樹脂の柄部で覆ってなる絶縁ドライバであって、前記１重目及び２重目収縮チューブの先端面とビッド部の先端との間にネジ頭の溝深に相当する分だけ露出部を形成することを特徴とする絶縁ドライバ。
【請求項２】
前記１重目収縮チューブは、危険表示に使用される色彩を有するものからなり、前記２重目収縮チューブは外観美機能を有する色彩のものからなることを特徴とする請求項１に記載の絶縁ドライバ。
【請求項３】
前記１重目収縮チューブが、蓄光性を有するものからなることを特徴とする請求項１又は２に記載の絶縁ドライバ。
【発明の詳細な説明】
【技術分野】
【０００１】
本発明は、主に活線箇所に使用されネジの取り付けや取り外しを行う際に使用する短絡事故の起りにくい絶縁ドライバーに係り、特に、ドライバーのロッド部がビット部の先端をわずか露出させたのみで２重の収縮チューブで被覆されてなる絶縁ドライバーに関する。
【背景技術】
【０００２】
ドライバーはネジの取り付けや取り外しに使用されるが、活線箇所での使用ではドライバーのロッド部が活線箇所に接触して短絡し、感電する事故が生じ易い。このため、活線箇所ではロッド部を絶縁した所謂絶縁ドライバーが使用されている。
【０００３】
この絶縁ドライバーとしては従来より各種のものがあるが、従来の絶縁ドライバーは「特許文献１」にあるようにドライバーのビット部の先端部を少し残してロッド部を絶縁樹脂で覆うと共に柄部同時に射出成形で形成するものや、ロッド部に絶縁チューブを後嵌めするものが主に開示されているに過ぎない。
【特許文献１】特開２００２−５２４７５（全文）
【発明の開示】
【発明が解決しようとする課題】
【０００４】
「特許文献１」の特開２００２−５２４７５号の「絶縁ドライバーの製造方法及びその製造用金型及び絶縁ドライバー」はビット部の露出部を極力小さくして全体を絶縁樹脂で覆うものであるが、製造方法が、射出成形によるものであり、特殊な金型を必要とすると共に、ロッド部は１重の絶縁チューブで被覆されているのみであり、この１重の絶縁チューブに破損部やキズが生ずると絶縁性が簡単に低下する問題点がある。また、破損やキズの発生が気が付かないでそのまま使用して短絡事故が発生してしまう問題点がある。また、ロッド部に収縮チューブを後嵌めするものは収縮チューブが１重のものからなり、かつ後嵌めのため前記のものと同様の問題点があると共に収縮チューブの後面と柄部との間に隙間が生じ易く、絶縁性が不十分となる問題点がある。
【０００５】
本発明は、以上の問題点を解決すべく発明されたものであり、ビット部の一部のみ露出するが、その他の部分は完全に２重の絶縁性収縮チューブと絶縁性の柄部で覆われ、通常の破損やキズによってロッド部の露出が生ずることなく、かつ破損やキズの発生が早期に発見されて短絡事故を完全に防止し得ると共に、比較的安価に製作し得る絶縁ドライバーを提供することを目的とする。
【課題を解決するための手段】
【０００６】
本発明は、前記の目的を達成するために、請求項１の発明は、ロッド部の外周を絶縁性の１重目収縮チューブで被覆し、更に、該１重目収縮チューブの外周を絶縁性の２重目収縮チューブで被覆し、前記ロッド部及び前記１重目及び２重目収縮チューブの後方側を絶縁樹脂の柄部で覆ってなる絶縁ドライバであって、前記１重目及び２重目収縮チューブの先端面とビッド部の先端との間にネジ頭の清深に相当する分だけ露出部を形成することを特徴とする。
【０００７】
また、請求項２の発明は、前記１重目収縮チューブは、危険表示に使用される色彩を有するものからなり、前記２重目収縮チューブは外観美機能を有する色彩のものからなることを特徴とする。
【０００８】
また、請求項３の発明は、前記１重目収縮チューブが、蓄光性を有するものからなることを特徴とする。
【発明の効果】
【０００９】
本発明の請求項１の「絶縁ドライバー」によれば、ロッド部がビット部の先端をネジの溝深さのみを残して２重の収縮チューブにより隙間なく完全に被覆され、かつロッド部の後端側と２重の収縮チューブが絶縁性の柄部により覆われることにより、全体がほぼ完全に絶縁被覆されるため、短絡の発生がほぼ完全に防止される。
【００１０】
また、本発明の請求項２の「絶縁ドライバー」によれば、１重目収縮チューブが、例えば、黄色や赤色の危険表示色の収縮チューブからなるため、２重目収縮チューブに破損やキズが発生した場合１重目収縮チューブの危険表示色が現われるため破損やキズの発生が只ちに発見される。また、この場合、２重目収縮チューブに破損やキズが生じてもロッド部は１重目収縮チューブにより被覆されているため短絡は生じない。また、２重目収縮チューブは外観美機能を生ずる綺麗な色彩のものからなり、外観美の向上が図られ、商品価値の向上が図れる。
【００１１】
また、本発明の請求項３の「絶縁ドライバー」によれば、１重目収縮チューブが蓄光性を有する樹脂材から形成されるため、２重目収縮チューブに破損やキズが生じた場合に外部から１重目収縮チューブからの光が確認でき、破損やキズの発生が夜間においても容易に発見され、安全性の一層の向上が図れる。
【発明を実施するための最良の形態】
【００１２】
以下、本発明の「絶縁ドライバー」の実施の形態を図面を参照して詳述する。図１及び図２は本発明の絶縁ドライバーの構造を説明するためのものであり、図３はその使用時の状態を示すものであり、図４及び図５は破損やキズが生じた場合における短絡防止機能を説明するためのものである。
【００１３】
図１に示すように、本発明の絶縁ドライバー１は、先端部にビット部４を形成する細長なロッド部５と、このロッド部５を覆うチューブ部２と、後端の柄部３とからなる。チューブ部２は図示のように１重目収縮チューブ２ａと２重目収縮チューブ２ｂとからなる。
【００１４】
１重目収縮チューブは、例えば、黄色や赤色の危険発生表示色として使用される収縮性の絶縁樹脂からなり、また、必要に応じ蓄光性を有するものからなる。収縮チューブそれ自体は公知のものであり、ロッド部５を被覆する場合にはロッド部５の外径よりもやや大寸の内径の収縮チューブをロッド部５の外周に挿入し、加熱することにより完全にロッド部５の外周に密着し、ロッド部５を完全に被覆する。この場合、図１に示すようにロッド部５のビット部４はその先端から寸法ａの部分だけ１重目収縮チューブ２ａにより被覆されない部分が残る。このビット部４の露出部６のａ寸法は図２に示すネジ７のネジ溝８の深さｂ寸法とほぼ等しいものからなる。この露出部６はネジ７にビット部５が完全に嵌り込んでネジ７の取り付けや取り外しを確実に行うために必要なものであり、通常数ｍｍのものからなる。
一方、２重目収縮チューブ２ｂは、１重目収縮チューブ２ａを完全に覆って密着被覆形成されるチューブからなり、１重目収縮チューブ２ａの外周に挿入された後に加熱されて１重目収縮チューブ２ａの外周に密着固定されるものからなる。この色彩としては外観美のあるものからなり、各種の色彩が所望に対応して使用される。以上により、ロッド部５は２重の収縮チューブにより隙間なく完全に被覆保護される。
【００１５】
柄部３は、絶縁性樹脂からなり従来技術と同様にロッド部５の後端に射出成形により密着固定されるものからなり、その形成や外面模様等は従来技術のものと同様のものからなる。但し、図１に示すようにこの柄部３は１重目収縮チューブ２ａ及び２重目収縮チューブ２ｂからなるチューブ部２の後端側を覆うものからなり、これにより、柄部３とロッド部５の間には隙間が完全に生じない。以上により、この絶縁ドライバー１はビット部４の先端部を寸法ａ≒ｂだけ露出した状態で、その他のロッド部５はチューブ部２と柄部３により完全に絶縁保護される。
【００１６】
図３は、以上の構造の絶縁ドライバー１によるネジ７の取り付け取り外しの状態を示すものである。図示のように絶縁ドライバー１のビット部４の露出部６はネジ７のネジ溝８に嵌り込むが、露出部６のａ寸法とネジ溝８の深さｂ寸法がほぼ同一のものからなるためネジ７の表端面９にチューブ部２の前端面が接触する。なお、ａ寸法がｂ寸法より少し長い場合にはチューブ部２の前端面とネジ７の表端面９との間に隙間が生ずるが、この隙間は微少のものであり、この隙間が活線箇所と接触する恐れはなく、また、指等との接触も発生せず、危険ではない。以上の状態でネジ７の取り付けや取り外しが行われるために使用時における短絡の発生が完全に防止される。
【００１７】
図４は、以上の構造の絶縁ドライバー１の使用時における破損やキズの発生時における様子を示すものである。絶縁ドライバー１が使用中において何等の原因によりキズ１０が生ずる場合がある。このキズ１０はまず２重目収縮チューブ２ｂに生じ、１重目収縮チューブ２ａにまで発展するものは通常は生じない。このキズ１０が２重目収縮チューブ２ｂに生ずるとこのキズ１０の部分から１重目収縮チューブ２ａが露出する。前記のように１重目収縮チューブ２ａは危険表示を表わす黄色や赤色のものからなるため目１１により容易にキズ１０の発生が確認され、危険防止のための処置を只ちにとることができる。これにより安全性の確保が図れる。
【００１８】
図５もキズ１０が発生した場合の安全確保の状態を示すものである。即ち、２重目収縮チューブ２ｂにキズ１０が生ずると、前記のように１重目収縮チューブ２ａが露出するが、この１重目収縮チューブ２ａが蓄光性のものからなるため、目１１には１重目収縮チューブ２ａからの光１２が確認される。特に、夜間では図４の場合の黄色や赤色の確認が不十分となる場合があり、この点において図５に示す光１２の確認が安全性の確保に寄与することになる。
【００１９】
本発明の絶縁ドライバー１の絶縁性については、１重目収縮チューブ２ａのみの場合は、耐電圧６，０００ｖであるが、２重目収縮チューブ２ｂを設けることにより１０，０００ｖ以上の耐電圧を確保でき、絶縁性の大幅な向上が図れる。また、収縮チューブはロッド部に挿入して収縮密着してロッド部を被覆保護するものであり、従来技術のように射出成形によって形成されるものではなく、比較的安価に実施できる。
【産業上の利用可能性】
【００２０】
本発明は、図示のようにプラスドライバーやその他の先端形態を有するドライバーのすべてに利用可能であり、その利用範囲は広い。
【図面の簡単な説明】
【００２１】
【図１】本発明の絶縁ドライバーの全体構造を示す軸断面図。
【図２】取り付け取り外しされるネジの形状を示す軸断面図。
【図３】本発明の絶縁ドライバーの使用時の状態を示す模式断面図。
【図４】キズ発生時における安全確保について説明するための模式断面図。
【図５】キズ発生時における安全確保について説明するための模式断面図。
【符号の説明】
【００２２】
１    絶縁ドライバー
２    チューブ部
２ａ  １重目収縮チューブ
２ｂ  ２重目収縮チューブ
３    柄部
４    ビット部
５    ロッド部
６    露出部
７    ネジ
８    ネジ溝
９    表端面
１０  キズ
１１  目
１２  光
【図１】
2006272518.tif 000003
【図２】
2006272518.tif 000004
【図３】
2006272518.tif 000005
【図４】
2006272518.tif 000006
【図５】
2006272518.tif 000007